【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
第１の加熱セクション（ＣＯＮＤ１）、第２の加熱セクション（ＣＯＮＤ２）を備える液化ガス用の再ガス化ラインであって、
前記第１の加熱セクション（ＣＯＮＤ１）は、第１の有機流体（ＯＦ１）と共に作動する第１のサイクルの一部であり、
前記第２の加熱セクション（ＣＯＮＤ２）は、第２の有機流体（ＯＦ２）と共に作動する第２のサイクルの一部であり、
前記第１の有機流体（ＯＦ１）と前記第２の有機流体（ＯＦ２）とは互いに異なり、
前記第１のサイクルは、前記第２の有機流体（ＯＦ２）と共に作動する前記第１の有機流体（ＯＦ１）の第１の蒸発器（ＥＶＡ１）と、前記第１の有機流体（ＯＦ１）の加熱が実施される第１の熱交換器（ＥＣＯ１）と、前記第１の有機流体（ＯＦ１）を膨張させるためのタービン（ＢＣＴ）と、を備え、
前記第２のサイクルは、低温又は高温の熱源から熱エネルギーを取得する熱交換を前記第２の有機流体（ＯＦ２）と共に作動する第２の蒸発器（ＥＶＡ２）と、前記第２の有機流体（ＯＦ２）を加熱するための第２の熱交換器（ＥＣＯ２）と、前記第２の有機流体（ＯＦ２）の膨張のためのタービン（ＴＣＴ）と、を備える、
液化ガス用の再ガス化ライン。
【請求項２】
第３の加熱セクション（ＳＨ１）をさらに備える、請求項１に記載の液化ガス用の再ガス化ライン。
【請求項３】
前記第１の熱交換器（ＥＣＯ１）が、エコノマイザである、請求項１に記載の液化ガス用の再ガス化ライン。
【請求項４】
前記第１のサイクルが、タービン（ＢＣＴ）の下流側の燃料電池（ＦＣ１）によって表される熱源をさらに備える、請求項２又は３に記載の液化ガス用の再ガス化ライン。
【請求項５】
第３の加熱セクション（ＳＨ１）が、低温熱源で表される第３の流体のサイクルで作動する熱交換器を備える、請求項２〜４のいずれか１つに記載の液化ガス用の再ガス化ライン。
【請求項６】
前記第２の熱交換器（ＥＣＯ２）が、エコノマイザである、請求項１に記載の液化ガス用の再ガス化ライン。
【請求項７】
前記第２のサイクルが、タービン（ＴＣＴ）の下流側の燃料電池（ＦＣ２）によって表される熱源をさらに備える、請求項１〜６のいずれか１つに記載の液化ガス用の再ガス化ライン。
【請求項８】
前記第１のサイクルが、前記第１の有機流体（ＯＦ１）の加熱セクション（ＳＨ３）をさらに備え、及び／又は前記第２のサイクルが、前記第２の有機流体（ＯＦ２）の加熱セクション（ＳＨ２）をさらに備える、請求項１〜７のいずれか１つに記載の液化ガス用の再ガス化ライン。
【請求項９】
前記液化ガスが、空気、窒素、例えばプロパン及びブタンなどのアルカン、又はエチレン及びプロピレンなどのアルケン、などの炭化水素化合物、水素、を含む群から選択される、請求項１〜８のいずれか１つに記載の液化ガス用の再ガス化ライン。
【請求項１０】
液化ガスの再ガス化のための方法であって、
１）第１の有機流体（ＯＦ１）との熱交換によって前記液化ガスを加熱する第１のステップを作動させるステップと、
２）前記液化ガスを第２の有機流体（ＯＦ２）で加熱する第２のステップを作動させるステップであって、前記第２の有機流体（ＯＦ２）は、前記第１の有機流体（ＯＦ１）とは異なる、ステップとを含み、
前記第１の有機流体（ＯＦ１）は、ステップ１）の前に、さらに熱交換ステップＩ）にかけられ、それによって前記第２の有機流体（ＯＦ２）から熱エネルギーを取得し、
前記熱交換ステップＩ）は、
Ｉａ）前記第１の有機流体（ＯＦ１）を、第１の熱交換器（ＥＣＯ１）、好ましくはエコノマイザ内で加熱するステップにかけるステップと、
Ｉｂ）前記第１の有機流体（ＯＦ１）を第１の蒸発器（ＥＶＡ１）内で蒸発させるステップにかけるステップであって、前記第２の有機流体（ＯＦ２）から熱を獲得することによって実施されるステップと、を含み、
前記第２の有機流体（ＯＦ２）は、ステップ２）の前に、
Ｉｂ’）第２の蒸発器（ＥＶＡ２）内で蒸発させるステップにかけられるステップと、
ＩＩ’）タービン（ＴＣＴ）内で膨張するステップにかけられるステップと、を含み、
ステップ２）及びステップＩｂ）における前記第２の有機流体（ＯＦ２）の流れが、タービン（ＴＣＴ）内で膨張させるステップＩＩ’）後に得られる流れである、
液化ガスの再ガス化のための方法。
【請求項１１】
さらに、
３）前記液化ガスを第３の流体で加熱する第３のステップを作動させるステップを含み、
前記第３の流体は、低温熱源によって表される、請求項１０に記載の液化ガスの再ガス化のための方法。
【請求項１２】
前記第２の有機流体（ＯＦ２）が、前記ステップＩＩ’）の前に、燃料電池（ＦＣ２）から来る熱で加熱するステップにかけられる、請求項１１に記載の液化ガスの再ガス化のための方法。
【請求項１３】
前記第２の有機流体（ＯＦ２）の流れの一部が、ステップＩｂ’）の前に、Ｉａ’）第２の熱交換器（ＥＣＯ２）、好ましくはエコノマイザ内で加熱するステップにかけられる、請求項１１又は１２に記載の液化ガスの再ガス化のための方法。
【請求項１４】
前記ステップＩａ）が、前記ステップＩｂ）の後に得られた前記第１の有機流体（ＯＦ１）の一部から熱を取得することによって実施される、請求項１３に記載の液化ガスの再ガス化のための方法。
【請求項１５】
前記ステップＩａ）及びＩｂ）が、前記第２の有機流体（ＯＦ２）の流れの異なる部分から熱を取得することによって実施される、請求項１０に記載の液化ガスの再ガス化のための方法。
【請求項１６】
前記ステップ１）の前及び前記ステップＩ）の後、すなわち前記ステップＩａ）及びＩｂ）の後に、前記第１の有機流体（ＯＦ１）が、タービン（ＢＣＴ）内の膨張ステップＩＩにかけられる、請求項１０〜１５のいずれか１つに記載の液化ガスの再ガス化のための方法。
【請求項１７】
前記第１の有機流体（ＯＦ１）が、前記ステップＩＩ）の前に、燃料電池（ＦＣ１）から来る熱で加熱するステップにかけられる、請求項１６に記載の液化ガスの再ガス化のための方法。
【請求項１８】
ステップＩｂ’）において、前記第２の有機流体（ＯＦ２）が、低温熱源によって表される第３の流体から熱を取得する、請求項１０〜１７のいずれか１つに記載の液化ガスの再ガス化のための方法。
【請求項１９】
前記ステップＩｂ’）及び前記ステップ３）が、低温熱源によって表される第３の流体の異なる流れによって実施される、請求項１０〜１８のいずれか１つに記載の液化ガスの再ガス化のための方法。
【請求項２０】
前記第１の有機流体（ＯＦ１）をさらに加熱するステップＩｃ）が、ステップＩａ）及びＩｂ）の後に実施される、請求項１０〜１９のいずれか１つに記載の液化ガスの再ガス化のための方法。
【請求項２１】
前記ステップＩｃ）が、低温熱源によって表される第３の流体の流れの一部と熱を交換することによって実施される、請求項２０に記載の液化ガスの再ガス化のための方法。
【請求項２２】
前記第２の有機流体（ＯＦ２）を加熱するさらなるステップＩｃ’）が、前記ステップＩｂ’）の後に実施される、請求項１０〜２１のいずれか１つに記載の液化ガスの再ガス化のための方法。
【請求項２３】
前記ステップＩｃ’）が
低温源によって表される第３の流体の流れの一部と、
高温源である第４の流体の一部と、
前記熱交換の組み合わせと、
熱を交換することによって実施される、請求項２２に記載の液化ガスの再ガス化のための方法。
【請求項２４】
ステップＩａ’）の再生を作動させる前記第２の有機流体（ＯＦ２）の流れ部分が、前記加熱するステップＩｃ’）後に得られる前記第２の有機流体（ＯＦ２）の一部である、請求項２２又は２３に記載の液化ガスの再ガス化のための方法。
【請求項２５】
前記第３の流体の一部又は前記第４の流体の一部が、ステップＩｃ’）の後に、（ＥＶＡ２内で）ステップＩｂ’）の熱交換を作動させる、請求項２２〜２４のいずれか１つに記載の液化ガスの再ガス化のための方法。
【請求項２６】
前記第４の流体の一部が、ステップＩｃ’）の後、場合によってはステップＩｂ’）の熱交換の後でも、ステップ３）の前記液化ガスとの熱交換を作動させる、請求項２２〜２５のいずれか１つに記載の液化ガスの再ガス化のための方法。
【請求項２７】
前記液化ガスが、液化天然ガス（ＬＮＧ）である、請求項１０〜２６のいずれか１つに記載の液化ガスの再ガス化のための方法。
【請求項２８】
低温源によって表される前記第３の流体が、海水である、請求項１０〜２７のいずれか１つに記載の液化ガスの再ガス化のための方法。
【請求項２９】
前記液化ガスが、空気、窒素、炭化水素化合物、例えば、例えばプロパン及びブタンなどのアルカン、又は例えばエチレン及びプロピレンなどのアルケン、水素を含む群から選択される、請求項１０〜２８のいずれか１つに記載の液化ガスの再ガス化のための方法。
【請求項３０】
極低温貯蔵を形成するための、請求項１０〜２９のいずれか１つに記載の液化ガスの再ガス化のための方法。
【請求項３１】
請求項１〜９のいずれか１つに記載の１つ又は複数の液化ガス用の再ガス化ラインを備え、前記再ガス化ラインが、平行である、液化ガス用の再ガス化ターミナル。
【請求項３２】
水中燃焼気化器（ＳＣＶ）又はオープンラック気化器型の気化セクションをさらに備える、請求項３１に記載の液化ガス用の再ガス化ターミナル。
【手続補正２】
【補正対象書類名】明細書
【補正対象項目名】００１０
【補正方法】変更
【補正の内容】
【００１０】
オープンラック気化器（ＯＲＶ）
この技術は、液体状態（約７０〜８０バール及び−１６０℃の温度）の天然ガスが、パネルを形成するために側面を接するアルミニウム管内で底部から上方向に流れるようにされることを必要とする。気化は、流体が進むにつれて漸進的に起こる。